(57)【特許請求の範囲】
【請求項１】
外装体の表裏面の、その少なくとも一面に形成した凹所内に可視情報を可逆的に書き換えて表示する情報表示媒体が配設される情報媒体において、
前記凹所の上部周縁を側方に拡開させて支持段縁を形成し、該支持段縁に凹所を密封して情報表示媒体を覆う防水性透明フィルムを貼着したことを特徴とする情報媒体。
【請求項２】
外装体内に、データを書き換え可能に格納する記憶素子を備え、かつ、外装体の表裏面の、その少なくとも一面に形成した凹所内に、前記記憶素子に格納されたデータに基づいて可視情報を可逆的に書き換えて表示する情報表示媒体が配設される情報媒体において、
前記凹所の上部周縁を側方に拡開させて支持段縁を形成し、該支持段縁に凹所を密封して情報表示媒体を覆う防水性透明フィルムを貼着したことを特徴とする情報媒体。
【請求項３】
情報表示媒体が、液体と該液体中に浮遊する磁性粉とを包含した多数のマイクロカプセルを、ベースフィルム上にバインダとともにコーティングした記録層を備えてなる磁気可逆性表示媒体であることを特徴とする請求項１又は請求項２に記載した情報媒体。
【請求項４】
防水性透明フィルムを、その表面が外装体の凹所形成面に対して陥没する位置関係となるように配設したことを特徴する請求項１乃至請求項３のいずれかに記載した情報媒体。
【発明の詳細な説明】
【０００１】
【発明の属する技術分野】
本発明は、表裏面の少なくとも一面に、可視情報を可逆的に書き換えて表示する情報表示媒体を備えたＩＣカード，磁気カード，コイン形データキャリア等の情報媒体に関する。
【０００２】
【従来の技術】
データを書き換え可能に格納する記憶素子を備えたＩＣ回路を内蔵してなるＩＣカードやコイン形データキャリア等の情報媒体は、高容量の情報記録管理が可能であり、情報の保存信頼性が高く、セキュリティ性や利便性に優れている等の理由により、近年、幅広い分野で導入が進められている。
【０００３】
かかる情報媒体にあって、記憶素子に格納されているデータに関する情報を使用者に知らせる必要がある場合には、図３に示すように、外装体ａの外表面に形成した凹所ｂ内に、可視情報を可逆的に書き換えて表示する情報表示媒体ｃを配設し、該情報表示媒体ｃの印字面ｄに所要情報を目視可能に印字するようにしている。
【０００４】
【発明が解決しようとする課題】
ところで、前記情報表示媒体ｃとしては、印字密度が高く、鮮明な情報表示を行い得るものが求められるが、これには、磁気可逆性表示媒体が好適に用いられる。この磁気可逆性表示媒体は、液体と該液体中に浮遊する磁性粉とを包含した多数のマイクロカプセルを、ベースフィルム上にバインダとともにコーティングした記録層を備えてなるものであり、このような磁気可逆性表示媒体を情報表示媒体ｃとして用いることにより、鮮明な情報表示が可能となるのであるが、この磁気可逆性表示媒体は、耐水性に劣り、側面の切断面から水が侵入すると劣化して、本来のリライト回数が消化できなくなるという問題点があった。また、従来構成にあっては、情報表示媒体ｃの印字面ｄが外装体ａの外表面と同じ高さか、又はそれよりやや高くなるように配設されているため、該印字面ｄに擦り傷が付き易く、表示が見にくくなるといった問題点があった。
【０００５】
本発明は、かかる従来の問題点を解消し得る構成を備えた情報媒体の提供を目的とするものである。
【０００６】
【課題を解決するための手段】
本発明は、外装体の表裏面の、その少なくとも一面に形成した凹所内に可視情報を可逆的に書き換えて表示する情報表示媒体が配設される情報媒体において、前記凹所の上部周縁を側方に拡開させて支持段縁を形成し、該支持段縁に凹所を密封して情報表示媒体を覆う防水性透明フィルムを貼着したことを特徴とする情報媒体である。
【０００７】
ここで、前記防水性透明フィルムは、ポリエステル，ポリカーボネート，ＰＥＴ等の表面滑性に優れた傷付きにくい材質の合成樹脂フィルムが好ましく、厚さ３０〜１００μｍ程度のものが好適に用いられ得る。また、情報表示媒体の印字面に表示される文字等の情報を視認可能な透明性を有していれば、無色透明なもの以外に、適宜に着色されたものであってもよい。そして、上記のように、凹所の上部周縁を側方に拡開させて形成した支持段縁に、凹所を密封して情報表示媒体を覆う防水性透明フィルムを貼着することにより、該防水性透明フィルムによって凹所内への水の侵入を防止することができ、また、情報表示媒体の印字面を保護することができる。さらに、上記のように、防水性透明フィルムを支持段縁に貼着することにより、防水性透明フィルムが外装体の外表面に突出することがなく、これにより、端部が何かに引っ掛かることに起因する防水性透明フィルムの剥離を防止することができる。
【０００８】
また、本発明は、外装体内に、データを書き換え可能に格納する記憶素子を備え、かつ、外装体の表裏面の、その少なくとも一面に形成した凹所内に、前記記憶素子に格納されたデータに基づいて可視情報を可逆的に書き換えて表示する情報表示媒体が配設される情報媒体において、前記凹所の上部周縁を側方に拡開させて支持段縁を形成し、該支持段縁に凹所を密封して情報表示媒体を覆う防水性透明フィルムを貼着したことを特徴とする情報媒体である。
【０００９】
かかる構成にあっては、情報媒体を、ＩＣカードやコイン形データキャリア等の情報媒体とすることができ、このような情報媒体においても、上記と同様に、防水性透明フィルムによって凹所内への水の侵入を防止することができるとともに、情報表示媒体の印字面を保護することができ、さらに、端部が何かに引っ掛かることに起因する防水性透明フィルムの剥離を防止することができる。
【００１０】
また、前記構成にあって、情報表示媒体として、液体と該液体中に浮遊する磁性粉とを包含した多数のマイクロカプセルを、ベースフィルム上にバインダとともにコーティングした記録層を備えてなる磁気可逆性表示媒体を用いる構成が提案され得る。このように情報表示媒体を磁気可逆性表示媒体とすることにより、鮮明な情報表示が可能となるとともに、上記のように、防水性透明フィルムによって凹所内への水の侵入を防止することができるため、耐水性に劣る磁気可逆性表示媒体の劣化が防止され、本来のリライト回数の消化が実現できる。
【００１１】
さらに、前記構成にあって、防水性透明フィルムを、その表面が外装体の凹所形成面に対して陥没する位置関係となるように配設する構成が提案され得る。これにより、防水性透明フィルムの表面に擦り傷が付きにくくなり、情報表示媒体に表示される情報の視認性が低下することがない。
【００１２】
【発明の実施の形態】
以下に、本発明の一実施例を、図１，図２について説明する。
図面において、１は本発明にかかる情報媒体を示す。該情報媒体１は、コイン形データキャリアとして構成されており、円板状をなす外装体２内にＩＣ回路が内蔵されている。ＩＣ回路は、図示省略されているが、データを書き換え可能に格納する記憶素子を備え、所定シーケンスを実行するＩＣチップや、送受信及び電力受給用のループコイル等からなり、電磁波を利用してデータを非接触で送受信し得るようになっている。
【００１３】
前記外装体２は、ＰＰＳ，ＰＢＴ，ＰＥＴ等の硬質の合成樹脂により円板状に成形されており、この円板状の外装体２の表裏面の、その少なくとも一面に円形の凹所３が形成されている。該凹所３内には、該凹所３の内底面上にシート状の情報表示媒体４が接着剤により固着されている。また、前記凹所３には、情報表示媒体４の上面に略一致する高さ位置に、凹所３の上部周縁を側方に拡開させてなる支持段縁５が形成されており、該支持段縁５に凹所３を密封して情報表示媒体４を覆う防水性透明フィルム６が接着剤により貼着されている。
【００１４】
この防水性透明フィルム６は、ポリエステル，ポリカーボネート，ＰＥＴ等の表面滑性に優れた傷付きにくい材質で耐薬品性等にも優れた合成樹脂フィルムが好ましく、厚さ３０〜１００μｍ程度のものが好適に用いられ得る。また、防水性透明フィルム６は、無色透明なもの以外に、情報表示媒体４の印字面に表示される文字等の情報を視認可能な透明性を有していれば、適宜に着色されたものを用いることも可能である。さらに、防水性透明フィルム６は、その周縁部分のみを支持段縁５に貼着してもよいし、あるいは、裏面全面を支持段縁５及び情報表示媒体４の上面全体に亘って貼着するようにしてもよい。ここで、裏面全面を貼着した場合には、情報表示媒体４からの浮き上がりを防止し得る利点がある。
【００１５】
また、外装体２の凹所形成面７から支持段縁５までの深さは、防水性透明フィルム６の厚みより大きくなるように設定されており、これによって、防水性透明フィルム６の表面８が、凹所形成面７に対して陥没する位置関係となるようにしている。
【００１６】
前記情報表示媒体４は、磁気可逆性表示媒体からなり、該情報表示媒体４の表示面に、前記記憶素子に格納されたデータに基づく可視情報が可逆的に書き換えられて表示される。
【００１７】
この磁気可逆性表示媒体は、液体と該液体中に浮遊する磁性粉とを包含した多数のマイクロカプセルを、ベースフィルム上にバインダとともにコーティングした記録層を備えており、磁場を生成する書込み装置によって、記録層に垂直（又は水平）磁場を部分的にかけて、マイクロカプセル内の磁性粉を垂直（又は水平）方向に整列させ、その反射光の明度差によって文字等を描出するものであり、視認可能な情報の書込み／消去を非接触で行うことができる。また、印字密度が高いので、鮮明な情報表示を行い得るものとなっている。
【００１８】
かかる構成にあって、凹所３の上部周縁を側方に拡開させて形成した支持段縁５に、凹所３を密封して情報表示媒体４を覆う防水性透明フィルム６が貼着されていることにより、該防水性透明フィルム６によって凹所３内への水の侵入を防止することができる。そして、このように凹所３内へ水が侵入しないため、情報表示媒体４として用いられている耐水性に劣る磁気可逆性表示媒体の劣化が防止され、本来のリライト回数を支障なく消化させることができる。
【００１９】
また、防水性透明フィルム６によって情報表示媒体４の印字面を保護することができ、さらに、該防水性透明フィルム６が支持段縁５に貼着されていることによって、防水性透明フィルム６が外装体２の外表面に突出することがなく、これにより、端部が何かに引っ掛かることに起因する防水性透明フィルム６の剥離が防止される。
【００２０】
さらに、防水性透明フィルム６が、その表面８が外装体２の凹所形成面７に対して陥没する位置関係となるように配設されていることにより、該防水性透明フィルム６の表面８に擦り傷が付きにくくなり、情報表示媒体４に表示される情報の視認性の低下を防止することができる。
【００２１】
尚、上記実施例にあっては、情報媒体１としてコイン形データキャリアを例示したが、情報媒体１としては、外装体２が矩形状に形成される接触型又は非接触型のＩＣカードであってもよく、さらに、ＩＣチップ等の記憶素子を持たない一般的な磁気カードからなる情報媒体にも本発明を適用することが可能である。
【００２２】
【発明の効果】
本発明は、上述のように、外装体２の表裏面の、その少なくとも一面に形成した凹所３内に可視情報を可逆的に書き換えて表示する情報表示媒体４が配設される情報媒体１において、前記凹所３の上部周縁を側方に拡開させて支持段縁５を形成し、該支持段縁５に凹所３を密封して情報表示媒体４を覆う防水性透明フィルム６を貼着するようにしたから、該防水性透明フィルム６によって凹所３内への水の侵入を防止することができ、また、情報表示媒体４の印字面を保護することができる。さらに、防水性透明フィルム６が支持段縁５に貼着されていることにより、該防水性透明フィルム６が外装体２の外表面８に突出することがなく、これにより、端部が何かに引っ掛かることに起因する防水性透明フィルム６の剥離を防止することができる。
【００２３】
また、本発明は、外装体２内に、データを書き換え可能に格納する記憶素子を備え、かつ、外装体２の表裏面の、その少なくとも一面に形成した凹所３内に、前記記憶素子に格納されたデータに基づいて可視情報を可逆的に書き換えて表示する情報表示媒体４が配設される情報媒体１において、前記凹所３の上部周縁を側方に拡開させて支持段縁５を形成し、該支持段縁５に凹所３を密封して情報表示媒体４を覆う防水性透明フィルム６を貼着するようにしたから、情報媒体１を、ＩＣカードやコイン形データキャリア等の情報媒体１とすることができ、このような情報媒体１においても、上記と同様に、防水性透明フィルム６によって凹所３内への水の侵入を防止することができるとともに、情報表示媒体４の印字面を保護することができ、さらに、端部が何かに引っ掛かることに起因する防水性透明フィルム６の剥離を防止することができる。
【００２４】
さらに、上記構成にあって、情報表示媒体４として、液体と該液体中に浮遊する磁性粉とを包含した多数のマイクロカプセルを、ベースフィルム上にバインダとともにコーティングした記録層を備えてなる磁気可逆性表示媒体を用いることにより、鮮明な情報表示が可能となるとともに、上記のように、防水性透明フィルム６によって凹所３内への水の侵入を防止することができるため、耐水性に劣る磁気可逆性表示媒体の劣化が防止され、本来のリライト回数の消化が実現できる。
【００２５】
また、防水性透明フィルム６を、その表面８が外装体２の凹所形成面７に対して陥没する位置関係となるように配設することにより、該防水性透明フィルム６の表面８に擦り傷が付きにくくなり、情報表示媒体４に表示される情報の視認性の低下を防止し得る等の優れた効果がある。
【図面の簡単な説明】
【図１】本発明にかかる情報媒体の一実施例を示す一部切欠正面図である。
【図２】同上の情報媒体の平面図である。
【図３】従来構成を示す一部切欠正面図である。
【符号の説明】
１  情報媒体
２  外装体
３  凹所
４  情報表示媒体
５  支持段縁
６  防水性透明フィルム
７  凹所形成面
８  表面
【図１】
0004392945.tif 000002
【図２】
0004392945.tif 000003
【図３】
0004392945.tif 000004